【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
デバイス毎に対応付けられて管理されるデバイス標識情報を表示部に表示する処理を制御する情報処理装置であって、
前記デバイスが前記情報処理装置に接続されるのに応答して、当該デバイスの接続に対応して生成された新規デバイスオブジェクトのデバイス情報と、当該新規デバイスオブジェクトの前に生成されている既存デバイスオブジェクトのデバイス情報とを取得する取得手段と、
前記取得手段が取得したデバイス情報を用いてデバイス標識情報を表示部に表示する処理を制御する表示制御手段とを備え、
前記表示制御手段は、前記既存デバイスオブジェクトのデバイス情報に含まれる機種情報と前記新規デバイスオブジェクトのデバイス情報に含まれる機種情報が一致する場合に、前記既存デバイスオブジェクトに対応するデバイスのデバイス標識情報を表示しないよう表示処理を制御する
ことを特徴とする情報処理装置。
【請求項２】
制御対象のデバイスオブジェクトを判断するための機種情報が指定可能な指定手段を更に備え、
前記指定手段に基づいて指定された機種情報と前記新規デバイスオブジェクトのデバイス情報に含まれる機種情報とが一致する場合に、前記新規デバイスオブジェクトに関するデバイス情報と前記既存デバイスオブジェクトのデバイス情報に含まれる機種情報との一致を判断する
ことを特徴とする請求項１に記載の情報処理装置。
【請求項３】
前記既存デバイスオブジェクトに対応するデバイスが接続されているか否かを判定する第一の判定手段を更に備え、
前記表示制御手段は、前記第一の判定手段で既存デバイスオブジェクトに対応するデバイスが接続されていないと判定される場合に、前記既存デバイスオブジェクトに対応するデバイスのデバイス標識情報を表示しないよう表示処理を制御する
ことを特徴とする請求項１または２に記載の情報処理装置。
【請求項４】
前記既存デバイスオブジェクトに対応するデバイスの接続形態が所定の接続形態か否かを判定する第二の判定手段とを更に備え、
前記表示制御手段は、前記第二の判定手段で所定の接続形態であると判定される場合に、前記既存デバイスオブジェクトに対応するデバイスのデバイス標識情報を表示しないよう表示処理を制御する
ことを特徴とする請求項１乃至３のいずれか１項に記載の情報処理装置。
【請求項５】
前記既存デバイスオブジェクトに対応するデバイスのデバイス標識情報を表示しないよう表示処理の実行可否を指示する指示手段を更に備える
ことを特徴とする請求項３または４に記載の情報処理装置。
【請求項６】
前記デバイスオブジェクトに対する管理権限の有無を判定する第三の判定手段とを更に備え、
前記表示制御手段は、前記第三の判定手段で管理権限が有ると判定される場合に、前記既存デバイスオブジェクトに対応するデバイスのデバイス標識情報を表示しないよう表示処理を制御する
ことを特徴とする請求項１乃至５のいずれか１項に記載の情報処理装置。
【請求項７】
前記表示制御手段は、前記既存デバイスオブジェクトを削除することで、当該既存デバイスオブジェクトに対応するデバイスのデバイス標識情報を表示しないよう表示処理を制御する
ことを特徴とする請求項１乃至６のいずれか１項に記載の情報処理装置。
【請求項８】
前記デバイス情報は、機種情報、デバイスオブジェクト名称を含み、
前記既存デバイスオブジェクトのデバイス情報に含まれる機種情報と前記新規デバイスオブジェクトのデバイス情報に含まれる機種情報が一致する場合に、前記既存デバイスオブジェクトのデバイス情報のデバイスオブジェクト名称を用いて、前記新規デバイスオブジェクトのデバイス情報のデバイスオブジェクト名称を更新する更新手段を更に備える
ことを特徴とする請求項１乃至７のいずれか１項に記載の情報処理装置。
【請求項９】
前記デバイス情報は、デバイス設定情報をさらに含み、
前記更新手段は、既存デバイスオブジェクトのデバイス情報のデバイス設定情報を用いて新規デバイスオブジェクトのデバイス情報のデバイス設定情報を更新する
ことを特徴とする請求項８に記載の情報処理装置。
【請求項１０】
別個体のデバイスの接続に対応してデバイスごとに生成されるデバイスの管理情報であるデバイスオブジェクトを制御する情報処理装置であって、
デバイスが接続された場合に、当該デバイスの接続に対応して生成された新規デバイスオブジェクトのデバイス情報と当該新規デバイスオブジェクトの前に生成されている他のデバイスに対応する既存デバイスオブジェクトのデバイス情報とを取得する取得手段と、
前記新規デバイスオブジェクトのデバイス情報に含まれる機種情報と前記既存デバイスオブジェクトのデバイス情報に含まれる機種情報とが一致する場合に、前記新規デバイスオブジェクトと前記既存デバイスオブジェクトを削除する削除手段と、
前記新規デバイスオブジェクト及び前記既存デバイスオブジェクトのそれぞれのデバイス情報を用いて、新たにデバイスオブジェクトを生成する生成手段と
を備えることを特徴とする情報処理装置。
【請求項１１】
前記生成手段で用いるデバイス情報は、前記取得手段で取得した既存デバイスオブジェクトのデバイス情報の機種情報、デバイスオブジェクト名称及びデバイス設定情報と前記新規デバイスオブジェクトのデバイス情報のポート情報を含む
ことを特徴とする請求項１０に記載の情報処理装置。
【請求項１２】
前記生成手段で生成したデバイスオブジェクトをデフォルトに設定する設定手段を更に備える
ことを特徴とする請求項１０または１１に記載の情報処理装置。
【請求項１３】
前記デバイスは、周辺デバイスであり、
前記デバイスオブジェクトは、前記周辺デバイスを示すデバイス標識情報に関する情報を含む
ことを特徴とする請求項１乃至１２のいずれか１項に記載の情報処理装置。
【請求項１４】
前記デバイスは、周辺デバイスであり、
前記デバイスオブジェクトは、前記周辺デバイスのデバイスドライバプログラムのための設定情報を含む
ことを特徴とする請求項１乃至１２のいずれか１項に記載の情報処理装置。
【請求項１５】
デバイス毎に対応付けられて管理されるデバイス標識情報を表示部に表示する処理を制御する情報処理装置の制御方法であって、
前記デバイスが前記情報処理装置に接続されるのに応答して、当該デバイスの接続に対応して生成された新規デバイスオブジェクトのデバイス情報と、当該新規デバイスオブジェクトの前に生成されている既存デバイスオブジェクトのデバイス情報とを取得する取得工程と、
前記取得工程が取得したデバイス情報を用いてデバイス標識情報を表示部に表示する処理を制御する表示制御工程とを備え、
前記表示制御工程は、前記既存デバイスオブジェクトのデバイス情報に含まれる機種情報と前記新規デバイスオブジェクトのデバイス情報に含まれる機種情報が一致する場合に、
前記既存デバイスオブジェクトに対応するデバイスのデバイス標識情報を表示しないよう表示処理を制御する
ことを特徴とする情報処理装置の制御方法。
【請求項１６】
別個体のデバイスの接続に対応してデバイスごとに生成されるデバイスの管理情報であるデバイスオブジェクトを制御する情報処理装置の制御方法であって、
デバイスが接続された場合に、当該デバイスの接続に対応して生成された新規デバイスオブジェクトのデバイス情報と当該新規デバイスオブジェクトの前に生成されている他のデバイスに対応する既存デバイスオブジェクトのデバイス情報とを取得する取得工程と、
前記新規デバイスオブジェクトのデバイス情報に含まれる機種情報と前記既存デバイスオブジェクトのデバイス情報に含まれる機種情報とが一致する場合に、前記新規デバイスオブジェクトと前記既存デバイスオブジェクトを削除する削除工程と、
前記新規デバイスオブジェクト及び前記既存デバイスオブジェクトのそれぞれのデバイス情報を用いて、新たにデバイスオブジェクトを生成する生成工程と
を備えることを特徴とする情報処理装置の制御方法。
【請求項１７】
デバイス毎に対応付けられて管理されるデバイス標識情報を表示部に表示する処理を制御する情報処理装置の制御をコンピュータに実行させるためのコンピュータプログラムであって、
前記デバイスが前記情報処理装置に接続されるのに応答して、当該デバイスの接続に対応して生成された新規デバイスオブジェクトのデバイス情報と、当該新規デバイスオブジェクトの前に生成されている既存デバイスオブジェクトのデバイス情報とを取得する取得工程と、
前記取得工程が取得したデバイス情報を用いてデバイス標識情報を表示部に表示する処理を制御する表示制御工程とを備え、
前記表示制御工程は、前記既存デバイスオブジェクトのデバイス情報に含まれる機種情報と前記新規デバイスオブジェクトのデバイス情報に含まれる機種情報が一致する場合に、
前記既存デバイスオブジェクトに対応するデバイスのデバイス標識情報を表示しないよう表示処理を制御する
ことをコンピュータに実行させることを特徴とするコンピュータプログラム。
【請求項１８】
別個体のデバイスの接続に対応してデバイスごとに生成されるデバイスの管理情報であるデバイスオブジェクトを制御する情報処理装置の制御をコンピュータに実行させるためのコンピュータプログラムであって、
デバイスが接続された場合に、当該デバイスの接続に対応して生成された新規デバイスオブジェクトのデバイス情報と当該新規デバイスオブジェクトの前に生成されている他のデバイスに対応する既存デバイスオブジェクトのデバイス情報とを取得する取得工程と、
前記新規デバイスオブジェクトのデバイス情報に含まれる機種情報と前記既存デバイスオブジェクトのデバイス情報に含まれる機種情報とが一致する場合に、前記新規デバイスオブジェクトと前記既存デバイスオブジェクトを削除する削除工程と、
前記新規デバイスオブジェクト及び前記既存デバイスオブジェクトのそれぞれのデバイス情報を用いて、新たにデバイスオブジェクトを生成する生成工程と
をコンピュータに実行させることを特徴とするコンピュータプログラム。